(57)【要約】
【課題】上側段のコンクリートブロックを下側段のものに対して９０度姿勢を変えて積み重ねることができるようにする。
【解決手段】　平面形状を正方形にした基板１ａの上下の両側に、基板の１つの端面と平行にした２本の突条４，４を、基板中心の両側で基板中心から同一間隔Ｌの位置に平行に設け、この突条の長手方向と直交する方向の基板中心の両側で、かつ基板中心から上記突条の位置までの距離Ｌと同一位置に、上記突条の基部より大きくした凹段部５を設けた。
【選択図】図４
0003099882.tif 000002
【実用新案登録請求の範囲】
【請求項１】
　平面形状を正方形にした基板の上下の両側に、基板の１つの端面と平行にした２本の突条を、基板中心の両側で基板中心から同一間隔位置に平行に設け、この突条の長手方向と直交する方向の基板中心の両側で、かつ基板中心から上記突条の位置までの距離と同一位置に、上記突条の基部より大きくした凹段部を設けたことを特徴とするコンクリートブロック。
【請求項２】
　少なくとも基板の上側に設けた突起の頂面に、突条の長手方向と平行のＶ溝と、これと直交するＶ溝とを設けたことを特徴とする請求項１記載のコンクリートブロック。
【考案の詳細な説明】
【技術分野】
【０００１】
　この考案は、単体では河川の護岸用や護床・根固めとして用いられ、また積み重ねることにより道路や宅地造成の切土、盛土のための擁壁、河川護岸や砂防ダムの土留擁壁として用いるコンクリートブロックに関するものである。
【背景技術】
【０００２】
　従来のこの種のコンクリートブロックとしては、平面形状が略四角で、上下面に幅方向に離間する２つの突条を設けたものがある（例えば特許文献１参照）。また２つずつの突条を井桁状に設けたもの（例えば、特許文献２参照）、さらに、上下面に幅方向に離間する２つの突条を設けると共に、表面側の突条の表面に突起を、また、下側の突条の表面に上記突起が嵌まる穴を設け、ブロックを積み重ねたときに、この突起と穴とが嵌まり合うようにしている（例えば、特許文献３参照）。
【０００３】
【特許文献１】実開昭５５−４２３３号公報
【特許文献２】特開昭５８−１６８７２６号公報
【特許文献３】実開昭５０−６９０３０号公報
【考案の開示】
【考案が解決しようとする課題】
【０００４】
　上記した従来のコンクリートブロックにあっても、積み重ね可能ではあるが、いずれも各ブロックとも同一姿勢、すなわち、前後方向（あるいは左右方向）の姿勢を同一にした状態で突条相互を上下に突き合わせ、あるいは左右方向にずらせて突条と突条間の溝とを嵌め合わせて積み重ねるようになっていて、下側のブロックに対して上側のブロックを９０度向きを変えた姿勢で重ね合わせることはなかった。そしてこのように、下側のブロックに対して上側のブロックを９０度姿勢をずらせて積んだ場合、下側のブロックの突条の上面に上側のブロックの突条が、互いの頂面を接触させた状態となってしまい、極めて不安定になってしまうという問題があった。
【課題を解決するための手段】
【０００５】
　本考案は上記のことに鑑みなされたもので、その構成は、平面形状を正方形にした基板の上下の両側に、基板の１つの端面と平行にした２本の突条を、基板中心の両側で基板中心から同一間隔位置に平行に設け、この突条の長手方向と直交する方向の基板中心の両側で、かつ基板中心から上記突条の位置までの距離と同一位置に、上記突条の基部より大きくした凹段部を設けた構成になっている。
【０００６】
　そして、この構成におけるコンクリートブロックの少なくとも基板の上側に設けた突起の頂面に、突条の長手方向と平行のＶ溝と、これと直交するＶ溝とを設けた。
【考案の効果】
【０００７】
　下側段のコンクリートブロック列の上側に積み重ねる上側段のコンクリートブロックを、下側段のコンクリートブロックと平行の姿勢と９０度変えた姿勢のどちらでも積み重ねることができ、しかもその姿勢を９０度変えて積み重ねたときに、突条同志が噛み合わされることにより、前後方向及び横方向に対して極めて強固に積み重ねることができる。
【０００８】
　また積み重ねられたコンクリートブロック相互の間に上下のコンクリートブロックのそれぞれの突条が入り組んで存在することにより、この部分での透水効果を確保することができると共に、流水の流速を弱める効果も得ることができる。
【０００９】
　さらに、突条の頂面に直交する２つのＶ溝を設けたことにより、このＶ溝を遠隔操作によってモニタリングしながら敷設作業することができ、この作業の無人化にも対応することができる。
【考案を実施するための最良の形態】
【００１０】
　図１から図４は本考案に係るコンクリートブロック１を示すもので、図１は平面図、図２は正面図、図３は側面図、図４は斜視図である。
【００１１】
　コンクリートブロック１の基板１ａは所定の厚みを有し、平面形状が正方形になっている。そしてこれの四方の側面のそれぞれの中間部に凹部２が設けてあると共に、基板１ａの中心部に貫通穴３が設けてある。基板１ａの上面と下面には基板中心から両側へ同一の距離Ｌの位置に断面形状を台形にした突条４，４が基板１ａの一辺と平行にして設けてある。この両突条４，４の基板中心からの距離Ｌは基板１ａの幅の１／４よりわずかに大きい寸法になっている。なお、両突条４，４間の溝状空間の幅は、この中に上下逆向きにした１つの突条４が充分なスペースを有して入る大きさになっている。
【００１２】
　各突条４には、これの長手方向の２個所で、突条の長手方向と直交する方向の基板中心の両側へ、上記突条４の基板中心からの距離と同一の距離Ｌの位置に、突条４の高さＨの１／２の深さの台形状の凹段部５，５が設けてある。この凹段部５の開口部の幅は突条４の根本部の幅より広くなっている。
【００１３】
　ブロック１の上面側に設けられる突条４，４の頂面の幅方向の中間位置に突条４と平行にして長手方向のＶ溝６が設けてある。またこの頂面の長手方向中間でブロック中心と同一位置に上記長手方向のＶ溝６と直交する幅方向のＶ溝７が設けてある。
【００１４】
　次に上記構成のコンクリートブロック１の使用例を図５から図１２を参照して説明する。図５から図８は下側段のコンクリートブロック１に対して上側段のコンクリートブロック１を同一姿勢で重ねた例であり、図９から図１２は下側段のブロック１に対して上側段のコンクリートブロック１を９０度姿勢を変えて重ねた例である。
【００１５】
　図５から図８において、下側段のコンクリートブロック１は、例えば、突条４が前後方向に向くようにして複数横方向に直線状に並置するついで、この下側段のコンクリートブロック１の上に上側段のコンクリートブロック１を、下側段のコンクリートブロック１の突条４，４の間に上側段のコンクリートブロック１の突条４，４を入れた状態で積み重ねる。これにより、上側段のコンクリートブロック１は下側段のコンクリートブロック１と同一姿勢で積み重ねられる。
【００１６】
　図９から図１２において、下側段のコンクリートブロック１は、上記下側段と上側段とが同一姿勢の場合と同様に、例えば、突条４が前後方向に向くようにして複数横方向の直線状に並置する。ついで、この下側段のコンクリートブロック１の上に上側段のコンクリートブロック１を下側段のコンクリートブロック１に対して９０度姿勢を変えて載置する。このとき、上側段のコンクリートブロック１は下側段の隣接するコンクリートブロック１，１の相互にまたがり、各コンクリートブロック１の各突条４の凹段部５を噛み合わせて重ねる。このとき、下側段のブロック相互間に若干の隙間が許容される。なお、この隙間は、基板中心から突条４までの寸法と、突条４から基板端までの寸法差の２倍以下にする。
【００１７】
　上記コンクリートブロック１の積み重ねはワイヤーロープ、あるいは貫通穴３を利用した吊り装置を用いてクレーンにて行うが、このクレーンを遠隔操作して作業を行うこともできる。このときに、作業機先端にコンクリートブロック１のＶ溝６，７を検出するカメラ等のセンサを設け、このセンサにて突条４のＶ溝６，７をモニタリングしてコンクリートブロック１の位置決めを行う。
【００１８】
　上記構成において、コンクリートブロック１を１段だけ平面方向に複数列敷設することにより、河川の護床、根固め機能を発揮させる。また、図８あるいは図１０に示すようにコンクリートブロック１を空積みにより積み重ねることによっても上記河川の護床や、護岸壁等を構築することができる。この場合、上下のコンクリートブロック１の対向部において上下のブロックの突条４が噛み合うことにより、この部分にできる間隙により高い透水性が確保される。
【００１９】
　また、上記コンクリートブロック１を積み重ねる際に、下側段と上側段とでコンクリートブロック１の姿勢を９０度変えて積み重ねることにより、上下のコンクリートブロック１はそれぞれの突条４に設けた凹段部５が前後方向、横方向に係合することにより、垂直積みによっても前後方向と横方向に対して極めて強固な擁壁が構築される。そして各コンクリートブロック１は正方形になっていることにより、上下でコンクリートブロック１の姿勢を９０度変えても図９に示すようにその前後方向の積み重ね幅は変わらない。
【００２０】
　また、上記した実施の形態では、基板１ａの上下面に設ける突条４，４を、上下面共に同一方向に向けた例を示したが、これは上側の突条と下側の突条とを９０度方向ずらせてもよい。またセンサ検出用のＶ溝６，７は基板１ａの上下両側の突条４の頂面に設けてもよい。これを両側に設けることにより、コンクリートブロックの上下勝手をなくすことができる。
【図面の簡単な説明】
【００２１】
【図１】本考案に係るコンクリートブロックを示す平面図である。
【図２】その正面図である。
【図３】その側面図である。
【図４】その斜視図である。
【図５】上側段のコンクリートブロックを下側段のコンクリートブロックと同一姿勢が積み重ねる例の平面図である。
【図６】その正面図である。
【図７】その側面図である。
【図８】その斜視図である。
【図９】上側段のコンクリートブロックを下側段のコンクリートブロックに対して９０度姿勢を変えて積み重ねる例の平面図である。
【図１０】その正面図である。
【図１１】その側面図である。
【図１２】その斜視図である。
【符号の説明】
【００２２】
　１…コンクリートブロック
　１ａ…基板
　２…凹部
　３…貫通穴
　４…突条
　５…凹段部
　６，７…Ｖ溝
【図１】
0003099882.tif 000003
【図２】
0003099882.tif 000004
【図３】
0003099882.tif 000005
【図４】
0003099882.tif 000006
【図５】
0003099882.tif 000007
【図６】
0003099882.tif 000008
【図７】
0003099882.tif 000009
【図８】
0003099882.tif 000010
【図９】
0003099882.tif 000011
【図１０】
0003099882.tif 000012
【図１１】
0003099882.tif 000013
【図１２】
0003099882.tif 000014